(57)【特許請求の範囲】
【請求項１】
展示物が収納される枠状体と、
前記枠状体の延在面と交差する方向に関し、前記枠状体を貫通しつつ当該枠状体の枠前側及び枠後側の双方にわたって延在する延在部材と、
前記延在部材のうち前記枠状体の枠前側に配設される第１延在部と、
前記延在部材のうち前記枠状体の枠後側に配設される第２延在部と、
前記第１延在部に設けられる飾り台と、
前記飾り台において装飾物が載置される載置面と、
前記延在部材において前記枠状体に当接する当接部と、
前記第２延在部に係合し、前記当接部を中心とした前記延在部材の前傾動作及び後傾動作を許容する係合部材と、
螺子孔と螺子軸との嵌合によって前記係合部材と前記枠状体とを連結し、前記螺子孔及び前記螺子軸の相対回転により前記係合部材を前記枠状体に対して前記枠状体の延在面に沿って枠上下方向に駆動する駆動機構と、
前記駆動機構が前記係合部材を駆動する際に手動操作される操作部と、
を含む構成であることを特徴とする額縁。
【請求項２】
請求項１に記載の額縁であって、
前記係合部材が前記螺子孔を備え、
前記駆動機構は、前記枠状体の延在面に沿って枠上下方向に長尺状に延在し前記螺子孔に嵌合する前記螺子軸と、前記枠状体に取り付けられるとともに前記螺子軸に固定され前記操作部としての円周面を有する円柱状の回転部材とを含み、前記円周面が手動操作されたときの前記回転部材の回転動作によって前記螺子軸を軸周りに回転させる構成であることを特徴とする額縁。
【請求項３】
請求項１または２に記載の額縁であって、
前記操作部が前記枠状体よりも枠後方へと突出した構成であることを特徴とする額縁。
【請求項４】
請求項１から３のうちのいずれか１項に記載の額縁であって、
前記延在部材は、前記第１延在部が前記枠状体の枠前側にて前記枠状体の延在面に沿って延在し、前記第２延在部が前記枠状体の枠前側にて前記枠状体の延在面に沿って延在するとともに、前記第１延在部から前記枠状体の前面に向けて突出した第１突部と、前記第２延在部から前記枠状体の後面に向けて突出した第２突部とを備え、前記第１突部及び前記第２突部によって、前記枠状体の延在面と交差する方向に関し前記枠状体に対する前記延在部材の移動が規制され、また前記当接部が構成されることを特徴とする額縁。
【請求項５】
請求項１から４のうちのいずれか１項に記載の額縁であって、
前記枠状体の枠内に収納された展示物の前面側を閉鎖した閉鎖状態、または当該展示物の前面側を開放した開放状態を形成可能な開閉扉を備えることを特徴とする額縁。
【発明の詳細な説明】
【技術分野】
【０００１】
本発明は、枠状体の枠内に各種の展示物が納められる額縁の構築技術に関するものである。
【背景技術】
【０００２】
従来、各種の展示物を枠状体の枠内に収納する構成の額縁が知られており、例えば、下記特許文献１には、遺影、書画、賞状等の展示物を枠状体の枠内に収納するとともに、当該展示物の周囲に装飾を施した構成の額縁が開示されている。また、額縁の本枠状体に、展示物装飾用の装飾物を載置可能な飾り台を設け、この飾り台に装飾物を載置することによって、枠状体の枠内に収納された展示物を立体的に装飾することを可能とする構成が知られている。
【０００３】
ところで、この種の額縁は、主には壁に吊るして使用され、場合によっては壁に立て掛けて使用される。額縁を壁に吊るして使用する際には、人の水平の目線位置よりも上方の位置において、枠状体が壁の鉛直面に対し若干前倒しとなるように額縁を設置するのが一般的である。一方、額縁を壁に立て掛けて使用する際には、枠状体が壁の鉛直面に対し若干後倒しとなるように額縁を設置するのが一般的である。
従って、飾り台を備える額縁を、壁に吊るして使用する場合や、壁に立て掛けて使用する場合においては、枠状体が設置される傾斜角度に応じて枠状体の延在面に対する飾り台の延出角度を変更することが要請される。
【０００４】
そこで本出願人は、この要請に応えるべく、下記特許文献２に記載のように、飾り台の取り付け角度の変更が可能とされた構造を提案したが、展示物装飾用の装飾物を載置可能な飾り台を備えるこの種の額縁の設計に際しては、更に枠状体の延在面に対する飾り台の延出角度を、額縁の設置形態に応じて木目細かく調節する技術が要請される。
【特許文献１】特開２００３−２４６１９９号公報
【特許文献２】特許第４２３４０７３号公報
【発明の開示】
【発明が解決しようとする課題】
【０００５】
本発明はかかる点に鑑みてなされたものであり、枠状体の枠内に展示物が収納されるとともに展示物装飾用の装飾物を載置可能な飾り台を備える額縁において、枠状体の延在面に対する飾り台の延出角度を、額縁の設置形態に応じて木目細かく調節するのに有効な技術を提供することを課題とする。
【課題を解決するための手段】
【０００６】
前記課題を解決するために、各請求項に記載の発明が構成される。
【０００７】
本発明にかかる額縁は、枠状体、延在部材、第１延在部、第２延在部、飾り台、載置面、当接部、係合部材、駆動機構及びと操作部を少なくとも備える。
【０００８】
枠状体は、その枠内に展示物を収納する機能を有する枠状部材として構成される。この枠状体は、枠状に形成された１又は複数の枠状部材によって構成され得る。ここでいう「展示物」には、枠状体の奥行き方向の幅内に納めることが可能な大きさのものが広く包含され、典型的には、枠状体の奥行き方向に対応した厚みが小さい二次元的な構成の絵画、書画、写真、遺影、色紙、賞状、カレンダーなどを本発明の展示物として用いることができる。
【０００９】
延在部材は、枠状体の延在面、すなわち枠状体によって形成される平面と交差する方向に関し、枠状体を貫通しつつ当該枠状体の枠前側及び枠後側の双方にわたって延在する部材として構成される。また、この延在部材の当接部が枠状体に当接する。典型的には、延在部材が当接部を介して枠状体の前面及び後面の少なくとも一方に当接する構成を採用することができる。第１延在部は、枠状体を貫通する延在部材のうち枠状体の枠前側に配設される構成部位とされる一方、第２延在部は、枠状体を貫通する延在部材のうち枠状体の枠後側に配設される構成部位とされる。
【００１０】
飾り台は、延在部材の第１延在部に設けられる。この飾り台に、装飾物が載置される載置面が設けられる。ここでいう「装飾物」として、典型的には枠状体の枠内に収納される展示物に関連した装飾物を用いる。これにより、載置面に置かれたこの装飾物によって、枠状体の枠内に収納された展示物の装飾効果を高めることが可能となる。なおこの飾り台は、延在部材とは別体構造として構成されてもよいし、或いは延在部材の一部として構成されてもよい。
【００１１】
係合部材は、延在部材のうち枠状体の枠後側にて延在する第２延在部に係合し、当接部を中心とした延在部材の前傾動作及び後傾動作を許容する部材として構成される。
【００１２】
駆動機構は、螺子孔と螺子軸との嵌合によって係合部材と枠状体とを連結し、螺子孔及び螺子軸の相対回転により係合部材を枠状体に対して枠状体の延在面に沿って枠上下方向に駆動する機構として構成される。この構成に関しては、枠状体側に設けられた螺子軸と、係合部材側に設けられた螺子孔とが互いに嵌合することによって、係合部材と枠状体とが連結される構造であってもよいし、或いは枠状体側に設けられた螺子孔と、係合部材側に設けられた螺子山とが互いに嵌合することによって、係合部材と枠状体とが連結される構造であってもよい。この駆動機構が係合部材を駆動する際に、使用者によって手動操作される操作部分が、操作部として構成される。
【００１３】
上記構成の額縁によれば、操作部が使用者の手指によって手動操作されると、駆動機構が係合部材を延在部材の延在方向と交差する枠上下方向に駆動し、これにより延在部材が当接部を中心として前傾動作或いは後傾動作する。従って、枠状体の延在面に対する飾り台の延出角度の調節が可能となる。枠状体の延在方向は、額縁を壁に吊るしたり、壁に立て掛けたりするような設置形態の違いによって変化するため、枠状体の延在面に対する飾り台の延出角度を調節することができないと、額縁の設置形態が限られたものになる。そこで、本発明では、係合部材を駆動する駆動機構を用いることによって、枠状体の延在面に対する飾り台の延出角度を調節することができるようにしたのである。これにより額縁の設置形態によらず、水平が維持された飾り台の載置面に装飾物を安定的に飾り付けることが可能となる。
特に、駆動機構の具体的な構造として、螺子孔と螺子軸との嵌合によって枠状体と延在部材に係合する係合部材とを連結する構成を採用することによって、枠状体の延在面に対する飾り台の延出角度を木目細かく調節するのに有効とされる。
【００１４】
また本発明にかかる額縁の更なる形態では、前記の係合部材が螺子孔を備え、前記の駆動機構は、枠状体の延在面に沿って枠上下方向に長尺状に延在し螺子孔に嵌合する螺子軸と、枠状体に取り付けられるとともに螺子軸に固定され操作部としての円周面を有する円柱状の回転部材とを含み、円周面が手動操作されたときの回転部材の回転動作によって螺子軸を軸周りに回転させる構成であるのが好ましい。本構成では、枠状体側に設けられた螺子軸と、係合部材側に設けられた螺子孔とが互いに嵌合することによって、係合部材と枠状体とが連結される。
このような構成によれば、回転部材の円周面（操作部）を作業者が手動操作することによって、回転部材が回転動作して螺子軸を軸周りに回転させ、係合部材を介して延在部材が飾り台とともに前傾動作或いは後傾動作する。従って、回転部材の回転動作を延在部材の前傾動作或いは後傾動作に円滑に変換することが可能となる。
【００１５】
また本発明にかかる額縁の更なる形態では、前記の操作部が枠状体よりも枠後方へと突出した構成であるのが好ましい。本構成に関しては、操作部の全部又は一部が枠状体よりも枠後方へと突出した構成を採用することができる。このような構成によれば、作業者が操作部を容易に手動操作することが可能となる。
【００１６】
また本発明にかかる額縁の更なる形態では、前記の延在部材は、第１延在部が枠状体の枠前側にて枠状体の延在面に沿って延在し、第２延在部が枠状体の枠前側にて枠状体の延在面に沿って延在するとともに、第１延在部から枠状体の前面に向けて突出した第１突部と、第２延在部から枠状体の後面に向けて突出した第２突部とを備える構成であるのが好ましい。これにより、第１突部及び第２突部によって、枠状体の延在面と交差する方向に関し枠状体に対する延在部材の移動が規制され、また前記の当接部、すなわち延在部材が前傾動作或いは後傾動作する際の動作中心ないし動作支点が構成される。
このような構成によれば、枠状体に対する延在部材の位置決め機能と、延在部材が前傾動作或いは後傾動作する際の動作中心ないし動作支点としての機能の両機能を、第１延在部及び第２延在部に付与することが可能となるため合理的である。
【００１７】
また本発明にかかる額縁の更なる形態では、当該額縁は更に開閉扉を備える。この開閉扉は、枠状体の枠内に収納された展示物の前面側を閉鎖した閉鎖状態、または当該展示物の前面側を開放した開放状態を形成可能な機能を有する開閉扉として構成される。開閉扉が閉鎖状態を形成すると、当該開閉扉によって展示物の前面側が被覆される一方、開閉扉が開放状態を形成すると、当該開閉扉による展示物の被覆が解除されることとなる。
このような構成によれば、展示物の展示の必要性に応じて開閉扉の開閉状態を変えることが可能となり、枠状体の枠内に展示を必要とする場合と必要としない場合が想定されるような展示物を、枠状体の枠内に収納する場合に特に効果的である。
【００１８】
なお、本発明において「開閉扉」は、展示物の前面側を閉鎖した閉鎖状態と、当該展示物の前面側を開放した開放状態を形成する機能を有していれば足り、その構成は必要に応じて適宜選択可能である。具体的には、扉部材が所定の回動支点を中心に回転動作することによって開閉が行われる回転式扉や、扉部材の折り畳み動作または折り戻し動作によって開閉が行われる折り畳み式扉や、扉部材の巻き取り動作または巻き戻し動作によって開閉が行われる巻き取り式扉などを用いて、本発明の開閉扉を構成することができる。
【発明の効果】
【００１９】
本発明によれば、枠状体の枠内に展示物が収納されるとともに展示物装飾用の装飾物を載置可能な飾り台を備える額縁において、枠状体の延在面に対する飾り台の延出角度を額縁の設置形態に応じて木目細かく調節することが可能となった。
【発明を実施するための最良の形態】
【００２０】
以下に、本発明の一実施の形態を図面を参照しつつ詳細に説明する。なお、本実施の形態は、本発明の好ましい一実施の形態を説明するためのものであって、これにより本発明が制限されるものではない。
【００２１】
本発明にかかる「額縁」の一実施の形態である額縁１００の正面図が図１に示され、図１中の当該額縁１００の分解斜視図が図２に示される。
【００２２】
図１及び図２に示すように、本実施の形態の額縁１００は、本体枠１１０と、この本体枠１１０に組み込まれる飾り台１２０、延在部材１２１、内枠１３０、扉枠１４０、展示物保持板１５０、裏板１６０とに大別される。本体枠１１０に組み込まれるこれら各組み込み部材は、額縁１００ないし本体枠１１０の前面側から、飾り台１２０、内枠１３０、扉枠１４０、展示物保持板１５０、裏板１６０の順で配置される。この額縁１００は、その各構成部材が木質材料や樹脂材料を主体として構成されるのが好ましい。
【００２３】
本体枠１１０は、四角形の枠状に形成され、窓状の本体枠開口１１２を有する枠状体ないし枠体とされる。この本体枠１１０に内枠１３０及び展示物保持板１５０が少なくとも組み込まれることによって、展示物保持板１５０に保持された展示物１５１が、本体枠１１０及び内枠１３０からなる枠状体の枠内に収納される。本実施の形態では、展示物保持板１５０やこの展示物保持板１５０に保持される展示物１５１を、額縁１００の一構成要素としてもよいし、或いは額縁１００とは別の構成要素とすることもできる。
なお、本実施の形態では、本体枠１１０の両面のうち展示物１５１が飾られる側を、或いは飾り台１２０が設置される側を当該枠状体の「枠前側」ないし「枠前方」として規定し、その反対側を当該枠状体の「枠後側」ないし「枠後方」として規定する。
【００２４】
内枠１３０は、本体枠１１０の本体枠開口１１２よりも開口面積の小さい窓状の内枠開口１３２を有する四角形の枠状体ないし枠体として構成される。また、この内枠１３０は、その枠下部ないし下縁部に、下方側が開口した切り欠き部１３４を備え、この切り欠き部１３４は、延在部材１２１の後述する連接部１２４を挿入可能な大きさに形成されている。この切り欠き部１３４を、必要に応じて閉じた形状の切り欠き部に変更することもできる。本体枠１１０にこの内枠１３０が組み込まれた状態では、これら本体枠１１０及び内枠１３０が一体化された枠状体ないし枠体を形成する。ここでいう本体枠１１０及び内枠１３０の少なくとも一方によって、本発明における「枠状体」が構成される。なお、本実施の形態では、内枠１３０が組み込まれた状態の本体枠１１０を「本体枠」ということもできる。
【００２５】
飾り台１２０は、平板状に構成され、その上面の載置面１２０ａに左右一対の有底円筒状の凹み部１２０ｂ，１２０ｂを備える。典型的には、この飾り台１２０の載置面１２０ａの各部位に、展示物１５１を装飾する装飾物１９０が載置される。特に、凹み部１２０ｂの形状を所望の装飾物に対応した形状とし、当該装飾物を凹み部１２０ｂ内に載置することによって、当該装飾物は凹み部１２０ｂの外壁部分によって囲まれることとなり、当該装飾物を載置面１２０ａに安定的に載置することが可能とされる。またこの飾り台１２０は、当該飾り台１２０を延在部材１２１に取り付けるための左右一対の突出ピン１２０ｃ，１２０ｃを備える。ここでいう飾り台１２０が本発明における「飾り台」に対応しており、この飾り台１２０の載置面１２０ａが本発明における「載置面」に対応している。
【００２６】
なお、上記飾り台１２０において、載置面１２０ａの凹み部１２０ｂは、飾り台１２０自体に切削加工等を施すことによって形成されてもよいし、或いは予め凹み部１２０ｂが設けられた別部材を飾り台１２０の載置面１２０ａに接合することによって形成されてもよい。またこの凹み部１２０ｂの数や形状は必要に応じて適宜変更が可能である。また、飾り台１２０の載置面１２０ａを面粗度の高い平坦面としたり、載置面１２０ａに滑り止め加工を施すことによって、凹み部１２０ｂを省略することもできる。
【００２７】
延在部材１２１は、本体枠１１０の延在面、すなわち本体枠１１０によって形成される平面と交差する方向に関し、切り欠き部１３４を通じて内枠１３０を貫通しつつ内枠１３０の枠前側及び枠側の双方にわたって延在する部材として構成される。またこの延在部材１２１は、左右一対の挿入孔１２１ａ，１２１ａを備える。この延在部材１２１の各挿入孔１２１ａに飾り台１２０の突出ピン１２０ｃが挿入されることによって、飾り台１２０が延在部材１２１に取り付けられて保持される。従って、この延在部材１２１は、飾り台１２０を保持するための保持部材としての機能を有する。この延在部材１２１は、内枠１３０の枠下部（下縁部）に形成された切り欠き部１３４に対して装着されるため、結果的に飾り台１２０も本体枠１１０ないし内枠１３０の枠下部（下縁部）に配設される。ここでいう延在部材１２１が、本発明における「延在部材」に相当する。なお、飾り台１２０を保持した状態の延在部材１２１を、「飾り台」ということもできる。
【００２８】
扉枠１４０は、枠状部材１４２に左右両開き式の開閉扉１４５，１４５を備える。詳細については後述するが、これら開閉扉１４５，１４５の開放操作または閉鎖操作を行うことによって、開閉扉１４５の背面側、すなわち展示物１５１の前面側を閉鎖した（被覆した）閉鎖状態と、開閉扉１４５の背面側、すなわち展示物１５１の前面側を開放した開放状態が形成される。ここでいう開閉扉１４５，１４５が、本発明における「開閉扉」に対応している。
【００２９】
開閉扉１４５，１４５が開放状態に設定されると、当該開閉扉１４５，１４５の背面側に配置された展示物保持板１５０の前面が、内枠開口１３２及び本体枠開口１１２を通じて視認可能となり、従ってこの展示物保持板１５０の前面に保持された展示物１５１が視認可能となる。一方、開閉扉１４５，１４５が閉鎖状態に設定されると、展示物１５１が視認不能となる。なお、この展示物１５１は、典型的には、展示物保持板１５０と透明樹脂製のフィルム（図示省略）との間に挟み込まれることによって保持される。この透明樹脂製のフィルムは、展示物１５１保護の見地より、板厚のある透明樹脂製やガラス製の板材等の部材によって適宜代替してもよい。この結果、本実施の形態においては、額縁１００を観る者の側からみて、閉じた状態の開閉扉１４５，１４５、透明樹脂製のフィルム（透明樹脂製やガラス製の板材によって代替可能）、展示物１５１の順に配設されることとなり、開閉扉１４５，１４５の開閉操作に際し当該開閉扉１４５，１４５と透明樹脂製のフィルムとが干渉することがない。
【００３０】
本実施の形態の展示物１５１として、典型的には、本体枠１１０の奥行き方向に対応した厚みが小さい二次元的な構成の絵画、書画、写真、遺影、色紙、賞状、カレンダーなどが適宜選択される。また、このとき、展示物１５１を装飾するべく、当該展示物１５１に対応して飾り台１２０の載置面１２０ａに飾り付ける装飾物１９０は、必要に応じて適宜選択可能である。一例として、展示物１５１が仏教に関する展示物（絵画、書画、写真、遺影、色紙、賞状、カレンダーなど）である場合には、装飾物１９０として、高杯、燭台、香炉、花立て、仏飯器などの仏具を、飾り台１２０の載置面１２０ａに飾り付けることができる。
【００３１】
裏板１６０は、本体枠１１０に組み込まれた内枠１３０、扉枠１４０及び展示物保持板１５０を裏面から覆うように構成される。この裏板１６０は、内枠１３０、扉枠１４０及び展示物保持板１５０が本体枠１１０に順次組み込まれた後、本体枠１１０の裏面に設けられた止め具によって、本体枠１１０に対して保持されるようになっている。
【００３２】
上記延在部材１２１の詳細な構成に関しては、図３〜図５が参照される。ここで図３には、図１中の延在部材１２１及び内枠１３０を本体枠１１０の前側から視た場合の斜視図が示される。図４には、図３中の延在部材１２１を本体枠１１０の後側から視た場合の斜視図が示され、また図５には、図４中の延在部材１２１の一部を破断した状態の斜視図が示されている。
【００３３】
図３及び図４に示すように、本実施の形態の延在部材１２１は、第１延在部１２２、第２延在部１２３及び連接部１２４を少なくとも備える。
第１延在部１２２は、延在部材１２１のうち本体枠１１０の枠前側、具体的には内枠１３０の前面よりも枠前方に配設され、当該配設部位において本体枠１１０の延在面に沿って枠左右方向に延在する角柱状の延在部分として構成される。また、第２延在部１２３は、延在部材１２１のうち本体枠１１０の枠後側、具体的には内枠１３０の後面よりも枠後方に配設され、当該配設部位において本体枠１１０の延在面に沿って枠左右方向に延在する角柱状の延在部分として構成される。これら第１延在部１２２及び第２延在部１２３は、連接部１２４を隔てて互いに平行状に延在している。ここでいう第１延在部１２２及び第２延在部１２３がそれぞれ、本発明における「第１延在部」及び「第２延在部」に相当する。連接部１２４は、第１延在部１２２と第２延在部１２３とを連接する連接部分として構成される。第１延在部１２２及び第２延在部１２３は、連接部１２４の両側においては隙間１２５を隔てて互いに離間している。
【００３４】
本実施の形態では、連接部１２４の左右方向の延在長さ（図３中の延在長さＬ１）は、切り欠き部１３４の長さ（図３中の長さＬ２）に合致した長さ、或いは切り欠き部１３４の長さ若干下回る長さに設定されている。これにより、内枠１３０の切り欠き部１３４に延在部材１２１の連接部１２４を挿設するように、内枠１３０ないし延在部材１２１を、内枠１３０の延在面に沿った枠上下方向に相対移動させることによって、内枠１３０及び延在部材１２１が互いに取り付けられる。この取り付け状態では、延在部材１２１は、本体枠１１０の枠前後方向の移動に関しては第１延在部１２２及び第２延在部１２３によって当該移動が規制され、また左右方向の移動に関しては内枠１３０の切り欠き部１３４によって当該移動が規制される。従って、この取り付け構造は、特に本体枠１１０ないし内枠１３０に対する延在部材１２１の位置決め機能を果たす。
【００３５】
第１延在部１２２の後面は、後方へ向けて突出する突部１２２ａを有する凸面構造とされる。また第２延在部１２３の前面は、前方へ向けて突出する突部１２３ａを有する凸面構造とされる。また、第１延在部１２２の突部１２２ａ及び第２延在部１２３の突部１２３ａは、いずれも本体枠１１０の左右方向に長尺状に延在している。従って、延在部材１２１が内枠１３０に取り付けられた状態では、第１延在部１２２の突部１２２ａが内枠１３０の前面に線接触にて当接する一方、第２延在部１２３の突部１２３ａが内枠１３０の後面に線接触にて当接する構成とされる。ここでいう第１延在部１２２の突部１２２ａによって、本発明における「第１突部」及び「当接部」が構成され、またここでいう第２延在部１２３の突部１２３ａによって、本発明における「第２突部」及び「当接部」が構成される。
【００３６】
また延在部材１２１の後面、すなわち第２延在部１２３には、中空部１２６が設けられており、この中空部１２６を利用して角度調節機構１８０が取り付けられている。
角度調節機構１８０は、延在部材１２１の第２延在部１２３を、本体枠１１０ないし内枠１３０の延在面に沿って枠上下方向に駆動することによって延在部材１２１の傾斜角度、したがってこの延在部材１２１に保持される飾り台１２０の傾斜角度（本体枠１１０ないし内枠１３０の延在面に対する飾り台１２０の延出角度）を調節するための機能を有する。ここでいう角度調節機構１８０によって、本発明における「駆動機構」が構成される。
【００３７】
この角度調節機構１８０は、図４及び図５に示すように、螺子軸１８１、回転部材１８２及び取り付け部材１８６を主体として構成されている。螺子軸１８１は、金属材料によって形成され、螺子山を有する長軸状の螺子軸として構成される。この螺子軸１８１は、本体枠１１０ないし内枠１３０の延在面に沿った枠上下方向であって、回転部材１８２の回転面と交差する方向に延在しつつ回転部材１８２に固定されている。回転部材１８２は、金属材料によって形成され、円柱形状の円柱部材として構成される。この回転部材１８２の外周面が、螺子軸１８１を軸周りに回転させる操作部１８２ａとして構成される。また、この回転部材１８２では、操作部１８２ａが本体枠１１０の後面よりも枠後方へと突出するように構成されている。この操作部１８２ａは、角度調節機構１８０が係合部材１８３を駆動する際に、使用者の手指によって右回り或いは左回り（図４及び図５中の矢印方向）に手動操作される部位とされる。ここでいう回転部材１８２が本発明における「回転部材」に相当し、この回転部材１８２の操作部１８２ａが本発明における「操作部」に相当する。取り付け部材１８６は、螺子軸１８１に相対回転可能に設けられており、角度調節機構１８０を本体枠１１０に取り付けるための部材として構成される。
【００３８】
上記螺子軸１８１は、係合板１８４及び一対の支持軸１８５，１８５からなる係合部材１８３に係合（螺合）する。具体的には、係合部材１８３は、延在部材１２１の第２延在部１２３に形成された中空部１２６に収容されてこの第２延在部１２３に係合し、第１延在部１２２の突部１２２ａ、或いは第２延在部１２３の突部１２３ａを中心とした延在部材１２１の前傾動作及び後傾動作を許容する機能を有する。ここでいう係合部材１８３が、本発明における「係合部材」に相当する。なお、本実施の形態ではこの係合部材１８３を角度調節機構１８０の一構成要素とすることもできる。
【００３９】
係合板１８４は、金属材料によって形成され、螺子軸１８１の螺子山に螺合する螺子孔１８４ａを備える板状部分として構成される。ここでいう螺子孔１８４ａ及び螺子軸１８１が、それぞれ本発明における「螺子孔」及び「螺子軸」に相当する。この係合板１８４は、回転部材１８２の螺子軸１８１周りの回転動作によって、回転部材１８２との間の距離が調節可能とされる。支持軸１８５は、金属材料によって形成され、係合板１８４の両側に固定された軸状部分として構成される。支持軸１８５，１８５は、係合板１８４の両側に固定され、係合板１８４から左右方向に延出する軸状部分として構成される。また各支持軸１８５は、中空部１２６に設けられた下面１２６ａ及び上面１２６ｂによって挟持されている。
【００４０】
上記構成の角度調節機構１８０によれば、螺子孔１８４ａ及び螺子軸１８１の相対回転により係合部材１８３が本体枠１１０に対して当該本体枠１１０の延在面と交差する枠上下方向（延在部材１２１の延在方向と交差する枠上下方向）に駆動される。このとき延在部材１２１は、下面１２６ａ及び上面１２６ｂが挟持している支持軸１８５，１８５を支点とした係合部材１８３との相対回転が許容された状態で、係合板１８４によって枠上方へと押し上げられ、或いは係合板１８４によって枠下方へと押し下げされる。これにより係合部材１８３は、中空部１２６に収容された状態でその枠上下方向の動作を延在部材１２１の前傾動作及び後傾動作に変換することが可能となる。
【００４１】
上記構成の角度調節機構１８０が取り付けられた延在部材１２１の具体的な動作に関しては、図６〜図９が参照される。図６は、本実施の形態の角度調節機構１８０が取り付けられた延在部材１２１を後方から視た図であり、図７は、図６中の延在部材１２１を角度調節機構１８０が基準状態にある場合に側方から視た図である。また図８には、図７中の角度調節機構１８０が第１の設定位置に設定された様子が示され、図９には、図７中の角度調節機構１８０が第２の設定位置に設定された様子が示されている。
【００４２】
回転部材１８２の操作部１８２ａが作業者の手指によって手動操作され、回転部材１８２が所定の方向に回転動作すると、この回転部材１８２の回転方向と同方向に螺子軸１８１が回転する。このとき螺子孔１８４ａ及び螺子軸１８１の相対回転により、係合板１８４は螺子軸１８１上を本体枠１１０の延在面に沿って枠上方或いは枠下方へと移動する。これにより図６及び図７に示すように、回転部材１８２と係合板１８４との間の距離Ｌ３が大きくなる方向に、或いは当該距離Ｌ３が小さくなる方向に調節される。またこのとき、係合部材１８３は、支持軸１８５，１８５が下面１２６ａ及び上面１２６ｂに挟持された状態で、中空部１２６内を支持軸１８５の軸周りに回転可能とされる。
【００４３】
図７に示す基準状態の場合よりも距離Ｌ３が小さくなる方向に回転部材１８２が回転動作すると、係合板１８４が下向き（図８中の下側）に移動する。このとき係合板１８４に取り付けられている支持軸１８５が中空部１２６の下面１２６ａを下向きに押圧することによって、或いは係合板１８４自体が第２延在部１２３を押圧することによって、第２延在部１２３を下向きに付勢していく。これにより、延在部材１２１は、第１延在部１２２の突部１２２ａ或いは第２延在部１２３の突部１２３ａを回転中心として図８中の矢印１０方向へと徐々に回転動作していく。かくして、図７に示す基準状態に対し延在部材１２１が後側へと後傾した傾斜状態が形成され、当該延在部材１２１は図８に示される第１の設定位置に設定される。延在部材１２１のこの第１の設定位置では、第２延在部１２３の位置が第１延在部１２２よりも低い位置に設定される。
【００４４】
一方、図７に示す基準状態の場合よりも距離Ｌ３が大きくなる方向に回転部材１８２が回転動作すると、係合板１８４が上向き（図９中の上側）に移動する。このとき係合板１８４に取り付けられている支持軸１８５は、上面１２６ｂを上向きに押圧することによって、第２延在部１２３を上向きに付勢していく。これにより、延在部材１２１は、第１延在部１２２の突部１２２ａ或いは第２延在部１２３の突部１２３ａを回転中心として図９中の矢印１２方向へと徐々に回転動作していく。かくして、図７に示す基準状態に対し延在部材１２１が前側へと前傾した傾斜状態が形成され、当該延在部材１２１は図９に示される第２の設定位置に設定される。延在部材１２１のこの第２の設定位置では、第２延在部１２３の位置が第１延在部１２２よりも高い位置に設定される。
【００４５】
ここで、上記構成の額縁１００の具体的な設置態様に対応した飾り台１２０の延出角度調節を、図１０及び図１１を参照しながら説明する。図１０には、図１中の額縁１００のＡ−Ａ線に関する断面構造図であって、当該額縁１００を壁に吊るして使用する設置態様が示され、図１１には、図１中の額縁１００のＡ−Ａ線に関する断面構造図であって、当該額縁１００を壁に立て掛けて使用する設置態様が示される。
【００４６】
上記構成の額縁１００を、鉛直面を形成する壁１７０に吊るして使用する場合、図１０に示すように、本体枠１１０の下縁部を下部取付け具１７３に引っ掛けるとともに、当該本体枠１１０の吊り具１１８と、壁１７０の上部取付け具１７２との間に紐状部材１７４を介在させる。これにより、額縁１００は、壁１７０の鉛直面に対し若干前倒しの状態で設置される。このような場合には、図８に示す第１の設定位置のように、延在部材１２１を後傾させるべく、回転部材１８２の操作部１８２ａを手動操作して飾り台１２０の延出角度θ（延在部材１２１と本体枠１１０ないし内枠１３０とのなす角度）を調節する。
【００４７】
具体的には、図７に示す状態を基準にした場合、前述の延出角度θが９０度よりも小さくなるように回転部材１８２の操作部１８２ａを手動操作する。そして、飾り台１２０が壁１７０の鉛直面に対しほぼ直角となるような水平状態となるまで、回転部材１８２の操作部１８２ａを調節していく。これにより、壁１７０の鉛直面に対しほぼ直角となるように水平が維持され、額縁１００を壁１７０に吊るして使用する場合であっても、飾り台１２０の載置面１２０ａに飾り付ける装飾物を安定的に載置することが可能とされる。
【００４８】
一方、上記構成の額縁１００を、鉛直面を形成する壁１７０に立て掛けて使用する場合、図１１に示すように、額縁１００は、壁１７０の鉛直面に対し若干後倒しの状態で設置される。このような場合には、図９に示す第２の設定位置のように、延在部材１２１を前傾させるべく、回転部材１８２の操作部１８２ａを手動操作して飾り台１２０の延出角度θを調節する。
【００４９】
具体的には、図７に示す状態を基準にした場合、前述の延出角度θが９０度よりも大きくなるように回転部材１８２の操作部１８２ａを手動操作する。そして、飾り台１２０が壁１７０の鉛直面に対しほぼ直角となるような水平状態となるまで、回転部材１８２の操作部１８２ａを調節していく。これにより、飾り台１２０は、壁１７０の鉛直面に対しほぼ直角となるように水平が維持され、額縁１００を壁１７０に立て掛けて使用する場合であっても、飾り台１２０の載置面１２０ａに飾り付ける装飾物を安定的に載置することが可能とされる。
【００５０】
次に、上記扉枠１４０の構成及び作用を図１２及び図１３を参照しながら説明する。図１２には、図１中の額縁１００のＢ−Ｂ線に関する断面構造図であって、扉枠１４０の開閉扉１４５，１４５が閉鎖された閉鎖状態が示され、図１２には、図１中の額縁１００のＢ−Ｂ線に関する断面構造図であって、扉枠１４０の開閉扉１４５，１４５が開放された開放状態が示される。
【００５１】
図１２に示すように、扉枠１４０の各開閉扉１４５は、内側扉部材１４３及び外側扉部材１４４の２つの扉構成部材を、既知の構成のヒンジ部材１４７によって互いに連結した構成を有する。また、枠状部材１４２の枠上部及び枠下部には、左右方向に延在する第１係合溝１４２ａが形成され、その両端部の限られた範囲に第２係合溝１４２ｂが形成されている。第１係合溝１４２ａは、内側扉部材１４３の上部及び下部において突出する第１突出片１４３ａが係合する（嵌まり込む）係合溝として構成される。従って、第１係合溝１４２ａ内における第１突出片１４３ａの左右方向の移動が許容されることとなる。一方、第２係合溝１４２ｂは、外側扉部材１４４の上部及び下部において突出する第２突出片１４４ａが係合する（嵌まり込む）係合溝として構成される。従って、第２係合溝１４２ｂ内における第２突出片１４４ａの移動が、第１係合溝１４２ａの両端部の限られた範囲内で許容されることとなる。
【００５２】
図１２に示す閉鎖状態において、開閉扉１４５，１４５は、展示物１５１の前面側を閉鎖した状態に設定されている。一方、この開閉扉１４５，１４５の右側の取っ手１４６が矢印２０方向へ引っ張られ、また左側の取っ手１４６が矢印２２方向へ引っ張られることによって、図１３中の二点鎖線で示す中間状態を経て、図１３中の実線で示す開放状態を形成する。これにより、開閉扉１４５，１４５は、展示物１５１の前面側を開放した状態に設定される。この開放過程において、各開閉扉１４５の内側扉部材１４３は、第１突出片１４３ａが第１係合溝１４２ａ内を外方へ移動することによって外側扉部材１４４側へと移動する。かくして、各開閉扉１４５は、ヒンジ部材１４７を介して内側扉部材１４３及び外側扉部材１４４の裏面同士が近接するように折り畳まれ、開放状態を形成することとなる。
【００５３】
以上のように、本実施の形態の額縁１００を用いれば、その設置形態によらず、装飾物１９０によって展示物１５１を効果的に装飾することが可能となる。具体的には、額縁１００を壁に吊るして使用したり、壁に立て掛けて使用することが想定される場合であっても、回転部材１８２の操作部１８２ａを手動操作することによって飾り台１２０の載置面１２０ａの水平度合いを調節し、これにより飾り台１２０の載置面１２０ａの水平を維持することができる。また、額縁１００を壁に吊るして使用する際、その吊るし方や吊るし場所によっては本体枠１１０の延在方向が多少変化することがあるが、このような場合であっても、回転部材１８２の操作部１８２ａを手動操作することによって飾り台１２０の載置面１２０ａの水平度合いを調節し、これにより飾り台１２０の載置面１２０ａの水平を維持することができる。従って、額縁１００の設置形態によらず、水平が維持された飾り台１２０の載置面１２０ａに装飾物１９０を安定的に飾り付けることが可能となる。
【００５４】
特に、本実施の形態では、螺子孔１８４ａと螺子軸１８１との嵌合によって、延在部材１２１の第２延在部１２３に係合する係合部材１８３と本体枠１１０とを連結し、螺子孔１８４ａ及び螺子軸１８１の相対回転により係合部材１８３を本体枠１１０に対して当該本体枠１１０の延在面に沿って駆動する角度調節機構１８０を採用することによって、本体枠１１０の延在面に対する飾り台１２０の延出角度を木目細かく調節するのに有効とされる。
【００５５】
また上記実施の形態では、回転部材１８２の操作部１８２ａを作業者が手動操作することによって、回転部材１８２が回転動作して螺子軸１８１を軸周りに回転させ、係合部材１８３を介して延在部材１２１が飾り台１２０とともに前傾動作或いは後傾動作する。従って、回転部材１８２の回転動作を延在部材１２１の前傾動作或いは後傾動作に円滑に変換することが可能となる。特に回転部材１８２の操作部１８２ａが本体枠１１０の後面よりも枠後方へと突出した構成であるため、作業者が操作部１８２ａを容易に手動操作することが可能となる。
【００５６】
また上記実施の形態では、延在部材１２１は、第１延在部１２２が内枠１３０の枠前側にて内枠１３０の延在面に沿って延在し、第２延在部１２３が内枠１３０の枠後側にて内枠１３０の延在面に沿って延在するとともに、第１延在部１２２から本体枠１１０の前面に向けて突出した突部１２２ａと、第２延在部１２３から本体枠１１０の後面に向けて突出した２突部１２３ａとを備える。これにより、突部１２２ａ及び突部１２３ａによって、本体枠１１０の延在面と交差する方向に関し内枠１３０に対する延在部材１２１の移動が規制され、また延在部材１２１が前傾動作或いは後傾動作する際の動作中心ないし動作支点が構成される。このような構成によれば、内枠１３０に対する延在部材１２１の位置決め機能と、延在部材１２１が前傾動作或いは後傾動作する際の動作中心ないし動作支点としての機能の両機能を、第１延在部１２２及び第２延在部１２３に付与することが可能となるため合理的である。
【００５７】
また、上記実施の形態の額縁１００は、展示物１５１の前面側を閉鎖した状態と開放した状態に設定可能な開閉扉１４５，１４５を備えるため、展示を必要とする場合と必要としない場合が想定されるような展示物を納めるような場合に特に効果的である。
【００５８】
（他の実施の形態）
なお、本発明は、上記実施の形態で説明した構成に限定されず種々の変更、追加、削除が可能である。
【００５９】
上記実施の形態では、係合板１８４に螺子孔１８４ａを設け、この螺子孔１８４ａが本体枠１１０側の回転部材１８２に設けられた螺子軸１８１に嵌合する場合について記載したが、本発明では、螺子孔と螺子軸との嵌合によって係合部材と枠状体とが連結される構成であればよく、係合板１８４側に螺子軸１８１に相当する部位を設け、本体枠１１０側の回転部材１８２に螺子孔１８４ａに相当する部位を設ける構成を採用することもできる。
【００６０】
また、上記実施の形態では、回転部材１８２の操作部１８２ａが本体枠１１０の後面よりも枠後方へと突出する構成について記載したが、本発明では、必要に応じてこの回転部材１８２の操作部１８２ａが本体枠１１０内に配設されるように構成してもよい。
【００６１】
また、上記実施の形態では、延在部材１２１が第１延在部１２２の突部１２２ａ、或いは第２延在部１２３の突部１２３ａを中心として前傾動作及び後傾動作する場合について記載したが、本発明では、延在部材１２１のうち第１延在部１２２や第２延在部１２３以外の部位を中心として第１延在部１２２が前傾動作及び後傾動作する構成を採用することもできる。
【００６２】
また、上記実施の形態では、本体枠１１０に組み込まれる内枠１３０を貫通して延在部材１２１が設置される場合について記載したが、本発明では本体枠１１０自体を貫通して延在部材１２１が設置される構成を採用することもできる。
【００６３】
また、上記実施の形態では、延在部材１２１及び飾り台１２０が、本体枠１１０ないし内枠１３０の枠下部（下縁部）に配設される場合について記載したが、本発明では延在部材１２１及び飾り台１２０の配設箇所は上記実施の形態の限定されるものではない。本発明では、本体枠１１０ないし内枠１３０の枠下部（下縁部）及び枠上部（上縁部）の少なくとも一方の部位に延在部材１２１及び飾り台１２０を配設することができる。
【００６４】
また、上記実施の形態の額縁１００では、内側扉部材１４３及び外側扉部材１４４の２つの扉構成部材がヒンジ部材１４７によって互いに連結された構成の開閉扉１４５について記載したが、本発明では、扉構成部材の数は限定されず、２つ以上の扉構成部材を用いて開閉扉を構成することができる。また、本発明では、額縁の設計仕様等に応じて開閉扉１４５を省略することもできる。
【００６５】
また、上記実施の形態の額縁１００では、開閉扉１４５，１４５の両方が左右両開きとなる折り畳み式扉について記載したが、本発明では、開閉扉の構成につき種々の形態を採り得る。一例として、図１４〜図１６において後述するスライド式の開閉扉や、扉部材が所定の回動支点を中心に回転動作することによって開閉が行われる片開き式や観音開き式の回転式扉や、扉部材の巻き取り動作または巻き戻し動作によって開閉が行われる巻き取り式扉（いわゆる、「ロールアップスクリーン」と称呼されるような遮光部材を用いた扉）を採用することもできる。
【００６６】
ここで、別の実施の形態の額縁２００の構成及び動作を、図１４〜図１６を参照しながら説明する。図１４には、本発明にかかる「額縁」の別の実施の形態である額縁２００の正面図が示され、図１５には、図１４中の額縁２００のＣ−Ｃ線に関する断面構造図であって、扉枠２４０の開閉扉２４５，２４５が閉鎖された閉鎖状態が示され、図１６には、図１４中の額縁２００のＣ−Ｃ線に関する断面構造図であって、扉枠２４０の開閉扉２４５，２４５が開放された開放状態が示される。なお、額縁２００は、扉枠２４０以外の構成要素には上記実施の形態の額縁１００と同様の構成を有するため、ここでは扉枠２４０についてのみ説明するものとし、他の構成要素についての説明は省略する。
【００６７】
図１４及び図１５に示すように、額縁２００の扉枠２４０は、枠状部材２４２に左右両開き式の開閉扉２４５，２４５を備える。各開閉扉２４５は、複数（図９では８つ）の扉構成片２４３を連結紐２４７によって互いに連結した構成を有する。また、枠状部材２４２の枠上部及び枠下部には、左右方向に延在する係合溝２４２ａが形成されている。係合溝２４２ａは、各扉構成片２４３の上端部及び下端部が係合する（嵌まり込む）係合溝として構成される。従って、係合溝２４２ａ内における各扉構成片２４３の左右方向の移動が許容されることとなる。また、係合溝２４２ａの左右外方には、扉構成片２４３を収容可能な収容空間２４２ｂが形成されており、扉構成片２４３はこの収容空間２４２ｂにおいて折り畳まれるか、あるいは軸状部材の周りに巻き取られるように構成されている。
【００６８】
そして、開閉扉２４５，２４５は、図１５に示す閉鎖状態において、右側の取っ手２４６が矢印３０方向へ引っ張られ、また左側の取っ手２４６が矢印３２方向へ引っ張られることによって、図１６中の二点鎖線で示す中間状態を経て、図１６中の実線で示す開放状態を形成する。この過程において、各開閉扉２４５の各扉構成片２４３は、係合溝２４２ａ内を外方へ移動し、外方に配置されているものから順に収容空間２４２ｂに入り込む。かくして、各開閉扉２４５は、扉構成片２４３が全て収容空間２４２ｂに収容されることによって、開放状態を形成することとなる。このような構成の開閉扉２４５，２４５は、上記実施の形態の開閉扉１４５，１４５と同様に、展示を必要とする場合と必要としない場合が想定されるような展示物を額縁に納めるような場合に、特に効果的に使用される。
【図面の簡単な説明】
【００６９】
【図１】本発明の「額縁」の一実施の形態である額縁１００の正面図である。
【図２】図１中の額縁１００の分解斜視図である。
【図３】図１中の延在部材１２１及び内枠１３０を本体枠１１０の前側から視た場合の斜視図である。
【図４】図３中の延在部材１２１を本体枠１１０の後側から視た場合の斜視図である。
【図５】図４中の延在部材１２１の一部を破断した状態の斜視図である。
【図６】本実施の形態の角度調節機構１８０が取り付けられた延在部材１２１を後方から視た図である。
【図７】図６中の延在部材１２１を角度調節機構１８０が基準状態にある場合に側方から視た図である。
【図８】図７中の角度調節機構１８０が第１の設定位置に設定された様子を示す図である。
【図９】図７中の角度調節機構１８０が第２の設定位置に設定された様子を示す図である。
【図１０】図１中の額縁１００のＡ−Ａ線に関する断面構造図であって、当該額縁１００を壁に吊るして使用する設置態様を示す図である。
【図１１】図１中の額縁１００のＡ−Ａ線に関する断面構造図であって、当該額縁１００を壁に立て掛けて使用する設置態様を示す図である。
【図１２】図１中の額縁１００のＢ−Ｂ線に関する断面構造図であって、扉枠１４０の開閉扉１４５，１４５が閉鎖された閉鎖状態を示す図である。
【図１３】図１中の額縁１００のＢ−Ｂ線に関する断面構造図であって、扉枠１４０の開閉扉１４５，１４５が開放された開放状態を示す図である。
【図１４】本発明にかかる「額縁」の別の実施の形態である額縁２００の正面図である。
【図１５】図１４中の額縁２００のＣ−Ｃ線に関する断面構造図であって、扉枠２４０の開閉扉２４５，２４５が閉鎖された閉鎖状態を示す図である。
【図１６】図１４中の額縁２００のＣ−Ｃ線に関する断面構造図であって、扉枠２４０の開閉扉２４５，２４５が開放された開放状態を示す図である。
【符号の説明】
【００７０】
１００  額縁
１１０  本体枠
１１２  本体枠開口
１１４  回動支点
１１６  螺合孔
１１８  吊り具
１２０  飾り台
１２０ａ  載置面
１２０ｂ  凹み部
１２０ｃ  突出ピン
１２１  延在部材
１２１ａ  挿入孔
１２２  第１延在部
１２２ａ  突部
１２３  第２延在部
１２３ａ  突部
１２４  連接部
１２５  隙間
１２６  中空部
１２６ａ  下面
１２６ｂ  上面
１３０  内枠
１３２  内枠開口
１３４  切り欠き部
１４０  扉枠
１４２  枠状部材
１４２ａ  第１係合溝
１４２ｂ  第２係合溝
１４３  内側扉部材
１４３ａ  第１突出片
１４４  外側扉部材
１４４ａ  第２突出片
１４５  開閉扉
１４６  取っ手
１４７  ヒンジ部材
１５０  展示物保持板
１５１  展示物
１６０  裏板
１７０  壁
１７２  上部取付け具
１７３  下部取付け具
１７４  紐状部材
１８０  角度調節機構
１８１  螺子軸
１８２  回転部材
１８２ａ  操作部
１８３  係合部材
１８４  係合板
１８４ａ  螺子孔
１８５  支持軸
１８６  取り付け部材
１９０  装飾物
２００  額縁
２４０  扉枠
２４２  枠状部材
２４２ａ  係合溝
２４２ｂ  収容空間
２４３  扉構成片
２４５  開閉扉
２４６  取っ手
２４７  連結紐
【図１】
0005394159.tif 000002
【図２】
0005394159.tif 000003
【図３】
0005394159.tif 000004
【図４】
0005394159.tif 000005
【図５】
0005394159.tif 000006
【図６】
0005394159.tif 000007
【図７】
0005394159.tif 000008
【図８】
0005394159.tif 000009
【図９】
0005394159.tif 000010
【図１０】
0005394159.tif 000011
【図１１】
0005394159.tif 000012
【図１２】
0005394159.tif 000013
【図１３】
0005394159.tif 000014
【図１４】
0005394159.tif 000015
【図１５】
0005394159.tif 000016
【図１６】
0005394159.tif 000017